(57)【特許請求の範囲】
【請求項１】
蓄積メディアに蓄積された複数のデータ・ユニットを処理するシステムを制御する方法であって、
上記システムは、標準再生モード、ランダム再生モード、およびプログラムされる再生モードを含む複数の実行可能な再生モードの中の１つに従って、上記データ・ユニットのシーケンスを処理するように適合化されており、
（Ａ）再生動作モードの期間に、上記複数の再生モードの中の１つに従ってデータ・ユニットのシーケンスを再生するステップと、
（Ｂ）上記実行可能な再生モードの中のどの再生モードが、上記蓄積メディア上の上記データ・ユニットの再生中に実行するために実際に利用可能であるかを判定し、前記実際に利用可能な再生モードを表示するオンスクリーン・ディスプレイ・メニューを作成することによって、再生動作モードの期間に、データ・ユニットの現在のシーケンスの再生を中断することなく、デフォルト・シーケンスを表す標準再生モード、ランダム・シーケンスを表すランダム再生モード、およびユーザによって指定されるシーケンスを表すプログラムされる再生モードを含む上記複数の再生モードの中の実際に利用可能な他の１つを選択する機会をユーザに与えるステップと、
（Ｃ）新しい再生モードのユーザによる選択に応答して、この新しく選択された再生モードに従って上記データ・ユニットの再生シーケンスを変更するステップと、
を含む、前記方法。
【請求項２】
ステップ（Ｂ）は、ビデオ表示の背景部分におけるデータ・ユニットの再生を見続けながら、ユーザが複数の再生モードの中の１つを選択することができるようにする、重ね合わされたメニューを含むオンスクリーン表示メニューをビデオ表示ユニット上に発生するステップを含むものである、請求項１に記載の方法。
【請求項３】
ステップ（Ｂ）の前に、再生動作モードの期間に、上記複数の再生モードの中の１つの選択を可能にする動作モードが可能にされたかどうかを判定するステップが来て、
再生動作モードの期間に、上記複数の再生モードの変更を可能にする上記動作モードが可能にされた場合にだけステップ（Ｂ）および（Ｃ）を実行する、請求項２に記載の方法。
【発明の詳細な説明】
【０００１】
本発明は、ディジタル・ビデオ装置用のユーザ・インタフェースに関し、特に、ユーザによって選択された再生モード（ｐｌａｙｍｏｄｅ）に従って複数のデータ・ブロックを処理することができるディジタル・ビデオ装置用のユーザ・インタフェースに関する。
【０００２】
ディジタル圧縮されたビデオおよびオーディオ情報が記録されている蓄積メディアを用いるビデオ信号処理システムは、そのようなメディアに蓄積されたビデオ・タイトル（ｖｉｄｅｏ  ｔｉｔｌｅ：ビデオの名称）の再生を制御するための膨大な数のオプション（ｏｐｔｉｏｎ：任意選択）をユーザに与えることができる。急速に普及しつつあるそのような１つのシステムは、ディジタル・ビデオ・ディスク（ＤＶＤ）仕様に従って蓄積された情報を処理するように適合化されたビデオ・ディスク・プレーヤからなる。ＤＶＤフォーマット化されたディスク上の情報は、適用可能なビデオおよびオーディオ・データ圧縮標準に従って個別のデータ・パケットとして記録されている。指定されたパケットは、例えば択一的ビデオ・アングル（角度）、オーディオ・トラック、サブピクチャ・ストリーム、等のような種々のデータストリームに関連付けられたデータを担持する。ＤＶＤフォーマット化されたディスクを読み取るビデオ・ディスク・プレーヤは、或るデータ・パケットを表示しその他のパケットをスキップする（飛び越す）ように制御されればよい。このようにして、ＤＶＤシステムを用いて、特定のディスク上の情報に無許可でアクセスすることを防止することができ、ユーザの命令（コマンド）に従って、例えば複数のカメラ・アングルおよびストーリ・エンディングのようなビデオ・タイトルの多数の変形（バリエーション）を継ぎ目なく与えることができる。
ＥＰＯ（欧州特許庁）第０８４７１９７Ａ号には、非連続的システム時間情報を含むビットストリームを継ぎ目なしに生成する装置が記載されている。特に、ＥＰＯ第０８４７１９７Ａ号には、複数のシナリオから選択された１つのシナリオに従って生成できるマルチメディア・ビットストリームを符号化する作成システムが記載されている。そのシナリオは再生中に変更でき、即ち、ユーザによる新しいシナリオの選択に応答して最も新しく選択されたシナリオに従って新しいマルチメディア・シナリオが動的に生成される。所望のシナリオに従ってタイトル・コンテンツを再生しながら、その複数のシナリオの中の任意の１つを動的に選択して再生することもできる。
【０００３】
ＤＶＤシステムの有用な１つの側面は、ユーザが、複数の再生モードのうちの１つを用いてディスク・コンテンツ（ｃｏｎｔｅｎｔ：内容）を再生することを可能にすることである。ＤＶＤフォーマット化されたディスクは、一般的に、１つ以上のビデオ・タイトルを含むように作成（制作）されまたは書かれて（ａｕｔｈｏｒ）いる。各ビデオ・タイトルは、指定されたプログラム（番組）ユニット、例えば１つの映画またはテレビジョンの１エピソード（１回分）に対応する。各ビデオ・タイトルは、チャプタ（ｃｈａｐｔｅｒ：章）ともいわれる１つ以上のタイトルの部分のユニット（ｐａｒｔ  ｏｆ  ｔｉｔｌｅ  ｕｎｉｔ：パートオブタイトル・ユニット）に分割されていてもよい。各チャプタは、ビデオ・タイトルの所定の一部分に対応する。このフォーマットに従って、ディスク・プレーヤは、特定のビデオ・タイトルの複数のチャプタを複数の再生モードのうちの１つで再生するよう構成（装置構成）してもよい。利用可能な再生モードは、通常、１）標準、２）ランダム、および３）プログラムを含んでいる。標準では、ディスク・プレーヤがデフォルト・シーケンスで、通常は開始点（始め）から終了点（終わり）まで、そのディスクを再生する。ランダムでは、複数のチャプタがランダムな順序で再生される。プログラムでは、複数のチャプタがユーザによってプログラムされたシーケンスで再生される。
【０００４】
ディスク・プレーヤの再生モード設定を変更するためには、ユーザは、通常、ディスク再生を停止させ、適当なプレーヤ・セットアップ（設定）メニューを呼び出し、所要の選択を行い、ディスク再生を再開しなければならない。ユーザがディスク再生を直接的に開始しおよび停止させるよう要求されることがたとえなかったとしても、ディスク・プレーヤは、ユーザが再生モードを選択したときに、ディスク再生を自動的に停止しディスク再生を再開する。ユーザが頻繁に再生モードを変更したいと思う場合には、ディスク再生を停止させディスク再生セットアップ・メニューをナビゲート（ｎａｖｉｇａｔｅ：操縦、誘導）させる要求は、直ぐに厄介になり得る。従って、ユーザがディスク再生の期間にディスク・プレーヤの再生モード設定を動的に変更すること、即ち、ディスプレイ（ｄｉｓｐｌａｙ：表示器）の一部においてビデオ・タイトルが再生を継続している状態で再生モードを変更することを可能にすることが望ましい。
【０００５】
（発明の概要）
本発明によれば、ユーザがディジタル・ビデオ装置、特にＤＶＤプレーヤ、の再生モードを動的に変更することを可能にするためのユーザ・インタフェース、方法および装置が実現される。利点として、本発明によって、タイトルの再生を停止させプレーヤ・セットアップ・メニューを呼び出してそのメニュー中をナビゲートする必要もなく、そのプレーヤの再生モード設定をユーザが動的に変更することが可能になる。
【０００６】
（発明の実施の形態）
本発明を図面を参照して説明する。
【０００７】
ディスクから圧縮されたビデオおよびオーディオ・データを読み取りＤＶＤ仕様に従ってそのデータを処理するように適合化されたディジタル・ビデオ装置を参照して、典型例の実施形態を説明するが、本発明は、ディジタル・ビデオおよびオーディオ・データを処理することのできる任意のディジタル・ビデオ装置に使用してもよいと理解すべきである。そのデータは別々のデータ・ブロックの形式で格納されまたは受け取られ、そのデータ・ブロックは特定の再生シーケンスに従って再生される。
【０００８】
図１は、本発明の動的再生モード選択機能（ｄｙｎａｍｉｃ  ｐｌａｙｍｏｄｅ  ｓｅｌｅｃｔｉｏｎ  ｆｅａｔｕｒｅ）を実行するのに適した典型例のディジタル・ビデオ・プレーヤの基本的構成要素を示すブロック図である。一般に、その構成要素の組立
（構成）および動作は、この分野の通常の専門家には知られており、ここでは詳しくは説明しない。ディスク・プレーヤ２４は、サーボ・プロセッサ２９の制御の下でディスクを回転させディスク上に蓄積された情報を読み出すモータおよびピックアップ組立体（構体）２６を含んでいる。プリアンプ（前置増幅器）２７およびＤＶＤデータ処理ユニット２８は、モータおよびピックアップ組立体２６からの電気的パルスを、ディジタル・オーディオ／ビデオ復号器ユニット３０によってさらに処理できるディジタル・データに変換する。ＤＶＤデータ処理ユニット２８は、典型的には、例えばディスクから読み出された生データの復調、エラー訂正およびデスクランブルのような諸機能を実行して、そのデータが復号器ユニット３０に適したフォーマットになるようにする。
【０００９】
復号器ユニット３０は、復調され、エラー訂正され、デスクランブルされたデータを受け取って、そのデータを処理し、適当なビデオおよびオーディオ信号を例えばテレビジョン装置のような表示ユニットに供給する。復号器ユニット３０に含まれているデータストリーム・デマルチプレクサ（分離器）３２は、データ処理ユニット２８からのデータを、ビデオ・ストリーム、オーディオ・ストリームおよびサブピクチャ・ストリームを含んだ複数の個別のデータストリームに分離して、その各データストリームをそれぞれのデータ復号器に供給する。ビデオ復号器３１はビデオ・ストリームを受け取り、ビデオ信号をミクサ３３に供給する。サブピクチャ復号器３４はサブピクチャ・ストリームを受け取り、データをオンスクリーン表示（Ｏｎ−Ｓｃｒｅｅｎ  Ｄｉｓｐｌａｙ：ＯＳＤ）制御器３５に供給し、その制御器３５はＯＳＤビデオ信号をミクサ３３に供給する。ミクサ３３からの合成された（組み合わされた）ビデオ信号がＮＴＳＣ／ＰＡＬ符号化器４２に供給され、符号化器４２は、適当なビデオ信号標準に準拠するビデオ信号をビデオ表示装置に供給する。オーディオ復号器３６は、データストリーム・デマルチプレクサ３２からオーディオ・ストリームを受け取り、適当なオーディオ信号をオーディオ・システムに供給する。
【００１０】
マイクロコントローラ４０はディスク・プレーヤ２４の動作を制御する。マイクロコントローラ４０はユーザ制御装置４１に結合される。ユーザ制御装置４１は、ＩＲ（赤外線）遠隔制御装置、フロントパネル・ボタン、等からなり、ユーザ制御装置４１からのデータを変換して、上述のディスク・プレーヤ２４の種々の構成要素の動作を制御する。典型的には、マイクロコントローラ４０は、親権者（パレンタル、教育上の、未成年者保護）ロックアウト、暗号形のディスクの解読、および暗号化されたのＤＶＤデータにアクセスするための遠隔の制御器へのダイヤリングを含めた、但しこれらに限定されない、ディスク・プレーヤ２４の種々のアクセス機能を制御するようにも構成される。マイクロコントローラ４０は、専用集積回路、または復号器／制御器（コントローラ）ユニットの一部を含めた、但しこれらに限定されない、種々の形態で実施構成してもよい。マイクロコントローラ４０は、ＳＧＳトムソン社（Ｔｈｏｍｓｏｎ）によって製造されたＳＴＩ５５００を含めた、但しこれらに限定されない、複数の適当な制御器ユニットの中の１つで構成してもよい。
【００１１】
図２は、プレーヤ領域（ｐｌａｙｅｒ  ｄｏｍａｉｎ）６０とディスク領域６２の間のナビゲーション方式（スキーム）を示している。図２に示されているように、プレーヤ領域６０は、ユーザがそのプレーヤの或る動作条件（状態）を、例えば親権者制御格付け（ｐａｒｅｎｔａｌ  ｃｏｎｔｒｏｌ  ｒａｔｉｎｇ）を選択することを可能にするプレーヤ・メニュー６１を含んでいる。また、ＤＶＤ領域６２は、それぞれのビデオ・タイトル（ｖｉｄｅｏ  ｔｉｔｌｅ）に関する情報を与えるためのタイトル・メニュー６４を含んでいる。タイトル・メニュー６４からのオンスクリーン選択は、ユーザを、ルート（ｒｏｏｔ）メニュー６５用の手段を含んでいるタイトル再生ブロック６３に移す。ルート・メニュー６５は、ディスク上に作成され（書き込まれ）ていて、サブタイトル、オーディオ・トラックおよびカメラ・アングルを含めた、但しこれらに限定されない、ディスク上の利用可能なオプションに関する情報を与える。
【００１２】
そのディスクがその上に作成されたルート・メニュー６５を含んでいない場合は、ユーザに対する利用可能なオプションを識別し表示するディスク上に蓄積された実際のビデオおよびオーディオ情報から生成される情報表示を発生する手段を含んでいることが望ましい。そのような手段を設けることが情報表示ブロック６６によって示されている。情報表示ブロック６６がＤＶＤ領域６２の内部に示されているが、その情報表示は、そのディスク上に作成された情報に基づいてプレーヤ２４によって発生される。その代替構成として、ディスク・プレーヤ２４は、ＤＶＤ領域６２にルート・メニュー６５が存在したとしても、ルート・メニュー６５ではなくて情報表示ブロック６６をユーザが選択することを可能にするように構成されていてもよい。
【００１３】
図３は、ＤＶＤ仕様に従った、ディスク・プレーヤ２４と共に使用するのに適したディスク上に蓄積されたプログラム・データおよび制御データの構成を示している。そのデータ構成は階層的である。各データ・ブロックはコンポーネント（成分）データ・ブロックに分割されており、そのコンポーネント・データ・ブロックはさらに小さいコンポーネント・データ・ブロックに分割されている。各ビデオ・タイトル・セット（組）は、例えば１つの映画またはテレビジョン番組（ｓｈｏｗ：ショー）の１エピソード（１回分）等の指定されたプログラム（ｐｒｏｇｒａｍ：番組）ユニットに対応し、複数のビデオ・オブジェクトからなるビデオ・オブジェクト・セット（ｖｉｄｅｏ  ｏｂｊｅｃｔ  ｓｅｔ）で構成されている。
【００１４】
各ビデオ・オブジェクトは複数のセルで構成されており、それは例えばビデオ、オーディオ、サブピクチャ等のような複数のデータ・ユニット・タイプを有するプレゼンテーション用のデータ・ユニットとみなしてもよく、また各ビデオ・オブジェクトはプログラム・セグメントに対応する。各セルは複数のビデオ・オブジェクト・ユニット（Ｖｉｄｅｏ  Ｏｂｊｅｃｔ  Ｕｎｉｔ：ＶＯＢＵ）で構成されている。各ＶＯＢＵは１つのナビゲーション・パック（Ｎａｖｉｇａｔｉｏｎ  Ｐａｃｋ：ＮＡＶ＿ＰＡＣＫ）および複数のパックで構成されている。その各パックはさらに複数のパケットに細分割されている。ＶＯＢＵは、一般的に、関連する制御データ構成ＮＡＶ＿ＰＡＣＫを有するＭＰＥＧ２グループ・オブ・ピクチャ（Ｇｒｏｕｐ  ｏｆ  Ｐｉｃｔｕｒｅ：ＧＯＰ）に対応する。各ＶＯＢＵのＮＡＶ＿ＰＡＣＫは、現在のＶＯＢＵに対するＶＯＢＵのセクタ・アドレス（時間的プレゼンテーション順序の順方向および逆方向の両方向のセクタ・アドレス）のような情報と、現在のＶＯＢＵに対応するセル・プレゼンテーションにおける経過時間の量（長さ）とを含んでいる。
【００１５】
ＤＶＤ仕様に従って蓄積されたデータは、データを提供（プリゼント）する形態に柔軟性を与えるためにプレゼンテーション構成に論理的に編成されている。図４は、ＤＶＤ仕様に従った、ディスク・プレーヤ２４と共に使用するのに適したプレゼンテーション構成を示している。このプレゼンテーション構成は図３に示されたデータ構成の上にオーバレイ（ｏｖｅｒｌａｙ：重ね合わ）される。ベース（基本）レベルでは、プレゼンテーション・シーケンスはプログラム（Ｐｒｏｇｒａｍ：ＰＧ）９６によって規定される。その各プログラムは、セルを指すポインタのリンクされたリスト（ｌｉｎｋｅｄ  ｌｉｓｔ：リンク・リスト）を含んでいる。複数のＰＧ９６が組み合わされてプログラム・チェーン情報（Ｐｒｏｇｒａｍ  Ｃｈａｉｎ  Ｉｎｆｏｒｍａｔｉｏｎ：ＰＧＣＩ）９４が形成され、複数のプログラム・チェーン情報９４が組み合わされてプログラム・チェーン（Ｐｒｏｇｒａｍ  Ｃｈａｉｎ：ＰＧＣ）９２が形成される。
【００１６】
ビデオ・タイトルのプレゼンテーション（出力、提供、上映）の期間において、ディスク・プレーヤ２４は、ユーザ選択のタイトルおよび親権者格付け選択（好み）のような基準に基づいて、適当なＰＧＣを選択して主要テーブルにロードする。その後、ディスク・プレーヤ２４は、ＰＧに含まれているリンクされたポインタのリストに基づいてそのディスクに蓄積されているデータを読み出す。知られているように、ディスク・プレーヤは、一般的に、そのディスクからデータを読み出すために種々のルック・アヘッド（ｌｏｏｋ  ａｈｅａｄ：先読み）アルゴリズムを用い、継ぎ目なしプレゼンテーションを行うために実際のプレゼンテーションの前にシステム・バッファにデータを格納する。
【００１７】
前述のように、蓄積メディアは、再生モードと呼ばれるユーザ選択可能な相異なる順序で再生され得る、しばしばチャプタ（ｃｈａｐｔｅｒ）と呼ばれる複数のプログラム部分を含んでいてもよい。また、前述のように、ユーザは、メニューを動的に（ｄｙｎａｍｉｃａｌｌｙ）呼び出してディスク・プレーヤ２４の再生モード（ｐｌａｙｍｏｄｅ：ＰＭ）を変更することができる。このようにして、ディスク・プレーヤを通して蓄積メディアから再生中のプログラムをビデオ表示器上で見ている間に、ユーザは、ユーザが変更したいと思う度にディスク再生を停止させてビデオ再生を再開しようとする不便さを経験する（経る）ことなく、メニューを呼び出してこれら相異なる再生モード（ｐｌａｙｍｏｄｅ：ＰＭ）を変更することができる。
【００１８】
利用可能な相異なる再生モード（ＰＭ）は、（１）標準ＰＭ、（２）ランダムＰＭ、および（３）プログラム可能な（ｐｒｏｇｒａｍｍａｂｌｅ）ＰＭである。標準ＰＭによって、ディスク上の複数のチャプタを、通常は開始点から終了点までのデフォルト・シーケンス（ｄｅｆａｕｌｔ  ｓｅｑｕｅｎｃｅ）で再生することが可能になる。ランダム（ｒａｎｄｏｍ）ＰＭは複数のチャプタをランダムな順序で再生する。プログラム可能なＰＭは、ユーザによって指定されたシーケンスで複数のチャプタを再生する。ディスク・プレーヤ２４は、ユーザ入力に応答して、全ての可能なＰＭを判定し、どのＰＭが実際に作動（ａｃｔｕａｔｉｏｎ）に利用可能かを判定する。例えば、ディスク・プレーヤ２４は、蓄積メディアがビデオ・タイトル・セット（Ｖｉｄｅｏ  Ｔｉｔｌｅ  Ｓｅｔ）の中に１つより多い（２つ以上の）チャプタを含んでいるかどうかを判定する。それが１つより多いチャプタを含んでいない場合には、そのプレーヤはＰＭをランダムにまたはプログラム可能に変更することはできない。さらに、ディスク・プレーヤ２４は、そのディスク上の複数のチャプタが再生に用いることができるかどうかを判定する。例えば、全てのチャプタがＲ格付けで、親権者（パレンタル）制御格付けがＧ格付け（Ｇ−ｒａｔｅｄ）のチャプタの再生だけを許容する場合には、そのプレーヤはそのＰＭをランダムにまたはプログラム可能に変更することはできない。
【００１９】
どようなＰＭが可能かを判定しおよび実際に利用可能なＰＭを判定した後、メニューが発生される（図５の表示１１０に示されているもの）。ユーザがＰＭを変更する場合には、ディスク・プレーヤは、ユーザに、その変更が現在のタイトルだけに影響を与えるのかまたは全ての将来（その後）のタイトルに影響を与えるのかを尋ねる。次いで、ユーザは制御装置４１を用いて、ユーザ選択を行う。そのプレーヤが現在のビデオ・タイトルに対してだけＰＭを変更することを選択する場合には、ディスク・プレーヤ２４は、現在のタイトルの再生が完了したときに前のＰＭに復帰し（戻り）、それ以外の場合には選択されたＰＭはユーザによって変更されるまでその効力
（効果）を維持する。
【００２０】
ディスク・プレーヤ２４において種々の再生モードが次のように実行される。標準モードでは、ディスク・プレーヤ２４はディスク上に規定されたプレゼンテーション・シーケンスに従う。プレゼンテーション・シーケンスは、上述のような制御ブロックに含まれているプログラム・チェーン情報におけるテーブルによって規定されている。ランダム・モードでは、ディスク・プレーヤ２４は、各チャプタをマップ（ｍａｐ）するプライベート（ｐｒｉｖａｔｅ：秘密）テーブルを発生し、その再生順序に基づいて各チャプタに特定の値を割り当てる。各チャプタに対するボーダ（ｂｏｒｄｅｒ：境界）は、そのディスク中から前にロードされたプログラム・チェーン情報に基づいて知られる。その後、乱数（ｒａｎｄｏｍ  ｎｕｍｂｅｒ：ランダム数）発生器を用いてプレゼンテーション用のチャプタをランダムに選択し、任意の１つのチャプタが反復される少なくとも１つ前に各チャプタが提示されることを保証するためにチェック・アルゴリズム（ｃｈｅｃｋｉｎｇ  ａｌｇｏｒｉｔｈｍ）を実行すればよい。プログラム可能モードでは、ディスク・プレーヤ２４は、ユーザから所望のシーケンスを受け入れ、シーケンス中の複数のチャプタの各々に対する境界（ｂｏｕｎｄａｒｙ）情報をリスト（ｌｉｓｔ：列挙）するプライベート・テーブルを生成する。その後、ディスク・プレーヤ２４は、そのプライベート・テーブル中のそのリストに従って複数のチャプタを提示する。ディスク・プレーヤ２４はプレゼンテーション・シーケンスを変えるためにそのディスクから既にロードされていたチャプタ境界情報から補足（補助）テーブルを生成するということが分かる。
【００２１】
再生モードの動的選択（ｄｙｎａｍｉｃ  ｓｅｌｅｃｔｉｏｎ）をイネーブル（ｅｎａｂｌｅ）およびディスエーブル（ｄｉｓａｂｌｅ）することが可能である。ＰＭの表示および動的選択を実行する方法のイネーブル／ディスエーブルは、セットアップ動作モードの期間にそのシステムのオンスクリーン表示プロセッサによって生成されたセットアップ・オプション表示上で所望のモードを選択することによって生じる。セットアップ動作モードは、ＰＭ選択イネーブル／ディスエーブルに加えて、例えば、ビデオ処理特性、音声特性、クローズド・キャプション（ｃｌｏｓｅｄ  ｃａｐｔｉｏｎ）等のような種々の機能を制御することを可能にするものであって、例えば遠隔制御装置上の制御ボタンを押下することによって付勢されればよい。所望の機能／モード／設定は、全て公知の形態で遠隔制御器上のボタンを用いることによって、表示されたセットアップ・メニュー中から選択される。
【００２２】
図６は、ＤＶＤプレーヤ上で複数のＰＭの中の特定のものを表示してその中から動的に選択することを実現するための諸ステップを例示するフローチャートを示している。ステップ１２７において、ディスク・プレーヤ２４は、ユーザが再生（ＰＬＡＹ）命令を送るのを待ち、再生命令を受け取ったときに複数のＰＭを求めてそのディスクまたはビデオ・タイトル・セットをサーチ（ｓｅａｒｃｈ：検索）する。ステップ１２８において、ユーザは、再生モードを変更する機会をユーザに与えるための或る指定されたボタンを押下することができる。ステップ１３０において、ディスク・プレーヤ２４は全ての可能なＰＭを決定する。ステップ１３２において、ディスク・プレーヤ２４は、どのＰＭが利用可能なのかを決定し、即ち親権者ブロックでブロックされないＰＭまたはイネーブルされないＰＭを決定する。ステップ１３４において、オンスクリーン表示１１０は、ディスク・プレーヤ２４によって発生されたビデオ表示上に公知の形態でオーバーレイされ、ユーザがビデオ表示の背景部分においてタイトル再生を見続けながら、ユーザがＰＭを変更することを可能にする。オンスクリーン表示１１０は、存在しかつ利用可能なＰＭと、存在するが利用できないＰＭとの間の区別を行う。ステップ１３６において、ユーザは利用可能なＰＭを選択することが可能になる。そのメニュー表示は、利用可能なＰＭのユーザ変更をトラック（追従）する。ステップ１３８において、ディスク・プレーヤ２４は、そのＰＭを新しいＰＭに切り換えてそれを再生する。ステップ１４０において、ディスク・プレーヤ２４が新しいＰＭに切り換えてそれを再生した後は、オンスクリーン表示１１０は、もはやディスク・プレーヤ２４によって発生されたビデオ表示の上にオーバーレイ（ｏｖｅｒｌａｙ）されることはなくなり、ビデオ信号処理システムは通常の表示に戻る。
【００２３】
図７は、本発明の原理に従ってＤＶＤプレーヤ上でＤＶＤディスク上の複数のＰＭを表示し、その中から動的に選択することを実現するための方法の別の実施形態をフローチャート形式で示している。図６に示した諸ステップと同じ図７の諸ステップは、図６における参照番号と同じ参照番号を持っており、上述のように図６における対応する諸ステップと同様の形態で動作し、ここで再び説明することはしない。図７には、ユーザが複数の相異なるＰＭの中の１つを選択する動作モードを選択的にイネーブルする構成が示されている。具体的には、図７に含まれているステップ１２８に続くステップ１４４は、ＰＭへのアクセスがイネーブルされたかどうかを判定するテストを行う。ＰＭを動的に変更するためのアクセスがディスエーブルされた場合は（ステップ１４６における“ＮＯ”という結果）、ステップ１４４の後にステップ１４２が続き、ステップ１４２において、そのＰＭを変更する機会をユーザに与えることなく、そのルーチンを出る。この場合、ユーザが希望する場合は上述の通常のセットアップ・メニューをナビゲートすることによってその再生モードの起動の前にＰＭの変更が発生しなければならない。それ以外の場合は、ステップ１３０およびその後のステップが実行されて、ユーザが再生モードを選択することが可能になる。
【００２４】
本発明を典型例の実施形態について説明したが、本発明の本質を逸脱することなく開示された実施形態に変形および変更を加えてもよいことはこの分野の専門家には明らかである。また、本明細書において、再生モード選択機能は、例えばマイクロコントローラにおいて組み込まれたソフトウェアを用いることによって、上述のディスク・プレーヤ２４の各構成要素を制御するための多数の通常の公知の方法またはその方法の組合せの中の任意の１つを用いて実行してもよいという認識がある。従って、本発明は本発明の真の範囲および精神の範囲内の全ての変形形態をカバーするよう意図されていると理解すべきである。
【図面の簡単な説明】
【図１】  図１は、本発明の動的再生モード選択機能を実現するのに適したディジタル・ビデオ・ディスク・プレーヤのブロック図である。
【図２】  図２は、ディスク・プレーヤ領域とＤＶＤ領域の間のナビゲーションを示すブロック図である。
【図３】  図３は、ＤＶＤ仕様に従うデータ構成のブロック図である。
【図４】  図４は、ＤＶＤ仕様に従うプレゼンテーション構成のブロック図である。
【図５】  図５は、本発明の動的再生モード選択機能と共に用いるのに適したオンスクリーン表示である。
【図６】  図６は、ＤＶＤプレーヤ上の複数のＰＭの中の特定のものを表示しその中から動的選択を行うための諸ステップを示すフローチャートである。
【図７】  図７は、本発明の原理に従う、ＤＶＤプレーヤ上のＤＶＤディスク上の複数のＰＭの中から表示および動的選択を実行するための方法の別の実施形態をフローチャート形式で示している。
【図１】
0004359910.tif 000002
【図２】
0004359910.tif 000003
【図３】
0004359910.tif 000004
【図４】
0004359910.tif 000005
【図５】
0004359910.tif 000006
【図６】
0004359910.tif 000007
【図７】
0004359910.tif 000008